(57)【特許請求の範囲】
【請求項１】
（ａ）トンネルの覆工表面にそれぞれ配置される、逆Ｕ字形状の支持体の一面に配置される歪みゲージを有するセンサーと、該センサーに接続される無線送信装置と、
（ｂ）該無線送信装置からの前記トンネルの覆工表面の変状情報を前記トンネルの外で受信する無線受信装置と、
（ｃ）該無線受信装置からの前記トンネルの覆工表面の変状情報を解析するトンネル覆工情報解析装置とを具備することを特徴とする地震時のトンネル覆工挙動の計測システム。
【請求項２】
（ａ）トンネルの覆工表面にそれぞれ配置される、光学的変位計を有するセンサーと、該センサーに接続される無線送信装置と、
（ｂ）該無線送信装置からの前記トンネルの覆工表面の変状情報を前記トンネルの外で受信する無線受信装置と、
（ｃ）該無線受信装置からの前記トンネルの覆工表面の変状情報を解析するトンネル覆工情報解析装置とを具備することを特徴とする地震時のトンネル覆工挙動の計測システム。
【請求項３】
請求項２記載の地震時のトンネル覆工挙動の計測システムにおいて、前記光学的変位計がレーザー変位計であることを特徴とする地震時のトンネル覆工挙動の計測システム。
【請求項４】
請求項１又は２記載の地震時のトンネル覆工挙動の計測システムにおいて、前記センサーを前記トンネルの複数の断面に配置して３次元的なトンネル覆工挙動の計測を行うようにしたことを特徴とする地震時のトンネル覆工挙動の計測システム。
【発明の詳細な説明】
【技術分野】
【０００１】
本発明は、地震時のトンネル覆工挙動の計測システムに関するものである。
【背景技術】
【０００２】
従来、地震時の構造物挙動のモニタリングとして加速度を測定するようにしているが、トンネルの場合、覆工の変形度合が分からず、覆工の損傷状態を把握することができない。さらに、トンネルの損傷はひずみや内空変位とリンクしており、加速度だけではその挙動を判断することができない。
また、トンネルにおいては、その延長方向に計測用の配線を敷設することが困難であるため、測定箇所近くにデータ収録機器を置くことが一般的であるが、この場合、データ収録機器が高価であり、多点に配置することが難しく、地震時にトンネル内の挙動を多点でリアルタイムに測定することができない（下記非特許文献１参照）。
【０００３】
さらに、トンネル内のデータ収録機器設置箇所まで地震時のトンネル覆工挙動データを取りに行く必要があり、地震が発生した場合にすぐにデータを見ることができない。また、機器設置箇所前後に覆工崩落があり現地に行けなかったり、データ収録機器が損傷した等、被害が大きい時にデータが取れない場合もある。さらに、地震直後にトンネル内の収録機器設置箇所までデータを収集しに行くことに危険が伴う。
【非特許文献１】財団法人  鉄道総合技術研究所，「鉄道構造物等維持管理標準・同解説（構造物編  トンネル）」，丸善株式会社，平成１９年１月２５日発行，ｐｐ．１１３−１１５
【発明の開示】
【発明が解決しようとする課題】
【０００４】
上記したように、地震時のトンネルの覆工挙動のデータをリアルタイムに把握することは困難であった。
本発明は、上記問題点を解決するために、地震時のトンネルの覆工挙動のデータをリアルタイムに把握することができる地震時のトンネル覆工挙動の計測システムを提供することを目的とする。
【課題を解決するための手段】
【０００５】
本発明は、上記目的を達成するために、
〔１〕地震時のトンネル覆工挙動の計測システムにおいて、トンネルの覆工表面にそれぞれ配置される、逆Ｕ字形状の支持体の一面に配置される歪みゲージを有するセンサーと、このセンサーに接続される無線送信装置と、この無線送信装置からの前記トンネルの覆工表面の変状情報を前記トンネルの外で受信する無線受信装置と、この無線受信装置からの前記トンネルの覆工表面の変状情報を解析するトンネル覆工情報解析装置とを具備することを特徴とする。
【０００６】
〔２〕地震時のトンネル覆工挙動の計測システムにおいて、トンネルの覆工表面にそれぞれ配置される、光学的変位計を有するセンサーと、このセンサーに接続される無線送信装置と、この無線送信装置からの前記トンネルの覆工表面の変状情報を前記トンネルの外で受信する無線受信装置と、この無線受信装置からの前記トンネルの覆工表面の変状情報を解析するトンネル覆工情報解析装置とを具備することを特徴とする。
【０００７】
〔３〕上記〔２〕記載の地震時のトンネル覆工挙動の計測システムにおいて、前記光学的変位計がレーザー変位計であることを特徴とする。
〔４〕上記〔１〕又は〔２〕記載の地震時のトンネル覆工挙動の計測システムにおいて、前記センサーを前記トンネルの複数の断面に配置して３次元的なトンネル覆工挙動の計測を行うようにしたことを特徴とする。
【発明の効果】
【０００８】
本発明によれば、地震時のトンネルの覆工挙動のデータをリアルタイムに把握することができる。
【発明を実施するための最良の形態】
【０００９】
本発明の地震時のトンネル覆工挙動の計測システムは、トンネルの覆工表面にそれぞれ配置される、逆Ｕ字形状の支持体の一面に配置される歪みゲージを有するセンサーと、このセンサーに接続される無線送信装置と、この無線送信装置からの前記トンネルの覆工表面の変状情報を前記トンネルの外で受信する無線受信装置と、この無線受信装置からの前記トンネルの覆工表面の変状情報を解析するトンネル覆工情報解析装置とを具備する。
【実施例】
【００１０】
以下、本発明の実施の形態について詳細に説明する。
図１は本発明の第１実施例を示す歪みゲージを有するセンサーを備えた地震時のトンネル覆工挙動の計測装置を示す模式図、図２はその計測装置の配置状態を示す図面代用の写真、図３はその地震時のトンネル覆工挙動の計測システムの模式図、図４は本発明の地震時のトンネル覆工挙動の計測システムの無線送信装置のブロック図、図５はその計測システムの無線受信装置のブロック図である。
【００１１】
これらの図において、１はトンネルの覆工表面、２は歪みゲージ４を逆Ｕ字形状の支持体３の背面に有するセンサーであり、逆Ｕ字形状の支持体３の脚部５，６は固定ボルト７，８でトンネルの覆工表面１に固定される。そこで、例えば、トンネルの覆工表面１にひび割れ９が発生すると、逆Ｕ字形状の支持体３の両脚部５，６は広がることになり、歪みゲージ４に作用することになり、トンネルの覆工表面１の挙動が歪みゲージ４の出力情報として得られる。また、センサー２の近傍にはこのセンサー２に接続される無線送信装置１０を設置する。つまり、無線送信装置１０は、図４に示すように、アナログ情報をデジタル情報に変換する入力インターフェース１１と、ＣＰＵ（中央処理装置）１２と、無線送信部１３とからなる。なお、センサー２は同一断面上に複数個配置することが望ましい。また、歪みゲージ４は支持部材（テープなど）でトンネルの覆工表面に配置するようにしてもよい。
【００１２】
図３に示すように、無線送信装置１０からは地震時のトンネル覆工挙動の計測情報が送信され、トンネル１４の外に配置される無線受信装置２０で受信される。この無線受信装置２０は、図５に示すように、無線受信部２１と、ＣＰＵ（中央処理装置）２２と、出力インターフェース２３とを備えている。
この無線受信部２１で得られたトンネル覆工挙動の計測情報は、出力インターフェース２３を介してトンネル覆工情報解析装置３０で解析される。
【００１３】
図６は本発明の第２実施例を示すトンネルの複数断面にセンサーを配置した地震時のトンネル覆工挙動の３次元的計測システムの模式図である。
上記した第１実施例では、トンネルの一断面のトンネル覆工挙動を計測する例について述べたが、本実施例では、図６に示すように、トンネルの複数の断面４１，４２にそれぞれセンサー４３，４４を配置した。これにより、それぞれの断面でのトンネル覆工表面の変状情報を、その断面の位置情報とともに無線送信装置４５，４６で送信して、トンネルの外に配置される無線受信装置４７で受信するようにした。無線受信装置４７で受信された複数断面のトンネル覆工挙動の計測情報は、トンネル覆工情報解析装置４８で解析され、３次元的なトンネル覆工挙動を把握することができる。
【００１４】
図７は本発明の第３実施例を示すレーザー変位計を有するセンサーを備えた地震時のトンネル覆工挙動の計測システムの模式図である。
この実施例では、トンネル１４の覆工表面にレーザー変位計５０を配置して、トンネル覆工表面の変位を計測し、第１実施例と同様に、その計測情報を無線送信装置でトンネルの外に配置される無線受信装置２０に送信し、トンネル覆工情報解析装置３０で解析する。
【００１５】
この第３実施例においても、トンネルの一断面のみのトンネル覆工挙動の計測について述べたが、第２実施例と同様に、トンネルの複数の断面にそれぞれレーザー変位計５０を有するセンサーを配置してもよい。これにより、それぞれの断面でのトンネル覆工表面の変状情報を、その断面の位置情報とともに無線送信装置で送信して、トンネルの外に配置される無線受信装置で受信するようにした。この無線受信装置で受信された複数断面のトンネル覆工挙動の計測情報は、トンネル覆工情報解析装置で解析され、３次元的なトンネル覆工挙動を把握することができる。
【００１６】
この第３実施例では、レーザー変位計５０を用いるようにしたが、これに限定されるものではなく、例えば、通常の発光ランプと距離センサ付き受光素子との組み合わせ等の種々の光学的変位計を用いるようにしてもよい。
本発明によれば、トンネル覆工に取り付けたセンサーで得られたデータを無線送信装置で送信し、トンネル外で受信することにより、トンネル坑外で覆工挙動をリアルタイムに監視することができる。
【００１７】
また、このシステムを用いた計測断面をあらかじめトンネル変状箇所等に複数設置し、地震発生時（緊急地震速報等で地震が予知された段階）に動的なセンサー（計測装置）を開始させ、地震による挙動が収束したり、計測・無線装置が損傷するまで計測とデータ送信を継続することにより、地震時の覆工挙動を動的にリアルタイムで計測することができる。
【００１８】
このように、無線受信装置と周波数分析等を行うトンネル覆工情報解析装置を組み合わせたシステムを構築し、これをもとにトンネル覆工の損傷程度を把握して運転規制等の判断に資することができる。
また、トンネル内に配置される各種センサーや無線送信装置等の機器が安価であり、小型であるため、多くの計測断面を設けることができる。これにより高密度のモニタリングができる。
【００１９】
さらに、トンネル内にデータを収集しに行く必要がないので、地震によるトンネル崩壊の危険性がある場合でも安全にデータを得ることができる。また、被害が大きな場合でも、機器類が損傷するまで、データを取り続けることができる。
そして、トンネル覆工の地震時挙動メカニズムが解明できる。
なお、本発明は上記実施例に限定されるものではなく、本発明の趣旨に基づき種々の変形が可能であり、これらを本発明の範囲から排除するものではない。
【産業上の利用可能性】
【００２０】
本発明の地震時のトンネル覆工挙動の計測システムは、地震時のトンネルの覆工挙動をリアルタイムに把握することができるシステムとして利用可能である。
【図面の簡単な説明】
【００２１】
【図１】本発明の第１実施例を示す歪みゲージを有するセンサーを備えた地震時のトンネル覆工挙動の計測装置を示す模式図である。
【図２】本発明の第１実施例を示す歪みゲージを有するセンサーを備えた地震時のトンネル覆工挙動の計測装置の配置状態を示す図面代用の写真である。
【図３】本発明の第１実施例を示す歪みゲージを有するセンサーを備えた地震時のトンネル覆工挙動の計測システムの模式図である。
【図４】本発明の地震時のトンネル覆工挙動の計測システムの無線送信装置のブロック図である。
【図５】本発明のトンネル覆工挙動の計測システムの無線受信装置のブロック図である。
【図６】本発明の第２実施例を示すトンネルの複数断面にセンサーを配置した地震時のトンネル覆工挙動の３次元的計測システムの模式図である。
【図７】本発明の第３実施例を示すレーザー変位計を有するセンサーを備えた地震時のトンネル覆工挙動の計測システムの模式図である。
【符号の説明】
【００２２】
１    トンネルの覆工表面
２    センサー
３    逆Ｕ字形状の支持体
４    歪みゲージ
５，６    逆Ｕ字形状の支持体の脚部
７，８    固定ボルト
９    ひび割れ
１０，４５，４６    無線送信装置
１１    入力インターフェース
１２，２２    ＣＰＵ（中央処理装置）
１３    無線送信部
１４    トンネル
２０，４７    無線受信装置
２１    無線受信部
２３    出力インターフェース
３０，４８    トンネル覆工情報解析装置
４１，４２    トンネルの断面
４３，４４    センサー
５０    レーザー変位計
【図１】
0005614735.tif 000002
【図３】
0005614735.tif 000003
【図４】
0005614735.tif 000004
【図５】
0005614735.tif 000005
【図６】
0005614735.tif 000006
【図７】
0005614735.tif 000007
【図２】
0005614735.tif 000008